(57)【要約】【課題】二階建て既設住宅の一階水洗トイレの給水を災害による断水時でも一定期間継続できる方法を安価に提供する。【解決手段】二階建て住宅の二階位置の建物内または外壁に給水タンク６を設置し、止水栓１からこの給水タンク６を経由して一階水洗トイレのロータンク３へ給水することにより、平常時はこの給水タンク６を給水管の一部として使用し、断水時は一定量の貯水槽として水洗トイレの給水に使用することが出来る。  この給水タンク６は水位調整弁８と防虫空気口９と水面揺れ抑制板１１を有し、一階水洗トイレのロータンク３へ取付高度差ｈに相当する水圧で給水する。【選択図】図１
0003176903.tif 000002
【実用新案登録請求の範囲】
【請求項１】
二階建て住宅の二階部分の建物内または建物外壁に、水位調整弁と防虫空気口と水面揺れ抑制板を有する給水タンクを設置して、止水栓からこの給水タンクに給水管で給水し、この給水タンクから別の給水管により高度差に原因する水圧で一階水洗トイレのロータンクへ給水する方法。
【考案の詳細な説明】
【技術分野】
【０００１】本考案は、二階建て以上の既設住宅において震災等の断水時でも水洗トイレを初期の一定期間において平常時と同様に継続使用するための手段を提供する。
【従来技術】
【０００２】災害時の断水に備えた生活水確保の手段として新設住宅の場合は建設時に貯水装置を設備する場合があるが、一般の既設住宅では高額なリフォーム工事となり普及していない。  一般の既設住宅では災害時の断水時に水洗トイレを使用するにはイ）浴槽の残り湯をトイレのロータンクに入れるか、ロ）備え置きのペットボトルの水をロータンクに入れる方法が使われている。
しかしながらいずれの方法もロータンクの重い陶器製蓋を外す必要があり特に防露型タンクなどでは難しい。  加えて浴槽の残り湯は常に有るとは限らず、ペットボトルは大量に要するなどの問題も多い。
このように既設住宅では容易かつ安価に災害時の断水時にトイレ給水を継続できる方法が無かった。
【先行技術文献】
【０００３】
【特許文献】
【特許文献】特開２０１０−１５０７９０  災害時住宅用生活用水備蓄設備
【考案の概要】
【考案が解決しようとする課題】
【０００４】既設住宅では大災害時の断水を想定した生活水貯水槽を取付けるためには高額な工事を必要とする。  本考案は、この課題を解消するために特に水洗トイレ用水の給水についてなされたものである。
【課題を解決するための手段】
【０００５】既設の二階建て住宅にあって、一階の既設水洗トイレ（ロータンク付き）を大災害時の断水時にも継続使用できるための改造手段を図１で示す。  改造前の一階の既設水洗トイレはトイレ室内の止水栓１から給水管２でロータンク３に給水されている。  本考案は止水栓１とロータンク３の間に、新たに水位調整弁と防虫通気口と水面揺れ抑制板を有する給水タンク６を高度差ｈで設置し、止水栓１から増設給水管５で水道水を給水タンク６へ給水し、給水タンク６から増設給水管７でロータンク３の給水管２へ給水する。  なお、給水管２を省略して増設給水管７を直接ロータンク３に接続しても良い。【０００６】一般的な戸建て住宅用水洗トイレのロータンク給水圧は０．０５ＭＰａ以上であるが、給水時間（便器排水後にロータンクが満水になる時間）を約２分程度にすれば給水圧は０．０４ＭＰａ程度でも十分給水できる。  既存の二階建て木造住宅では此の給水圧を得る給水タンクの取付け位置の高度差ｈは二階のトイレ室窓上付近に相当する。【０００７】この方法によれは一階の水洗トイレは給水タンク６を通して給水される。  平常時、給水タンク６は止水栓１から増設給水管２で給水され、水位調整弁８により一定水位を維持し、給水タンク６の水は高さｈに相当する重力を原因とする水圧で増設給水管７と給水管２を経由してロータンク３に加わっている。  便器４を排水した時はロータンク３に給水タンク６の水がこの水圧で給水され、止水栓１からはその分だけ給水タンク６に給水される。
断水時は止水栓１からの給水は停止するが、給水タンク６の貯水量が残っている限りは本考案の特徴でもある、特別の操作をすること無くロータンク３に水圧が加わっているので平常通り給水を続け便器の排水をする事が出来る。
【考案の効果】
【０００８】本考案によれば既設の二階建て住宅について給水タンクを二階トイレの上部または二階外壁面（概ね軒下辺りの位置）に取付けて簡単な配管を施すことで容易にかつ安価に災害時のトイレ給水に備えることができる。
一般の水洗トイレは一回の排水に最小５リットル程度を必要とするが、７０リットル前後の給水タンクであれば少人数では数日ないし１週間程度使用できる。
本考案による方法では平常時と災害時の違いにおいて特別の操作を必要としないため特に高齢者や幼児を抱える住宅に適している。
加えてこの方法では給水タンク６は給水管の一部として使われるため平常時に故障等を発見出来るため災害前に修理できる。  さらに、たとえば給水タンク６の内容量を増やして増設給水管７の途中に分岐栓を設ければ他の用途にも利用できる。
【図面の簡単な説明】
【０００９】
【図１】本考案の原理を示す構成図である。
【図２】本考案の給水タンクの一例を示す構造図である。
【考案を実施するための形態】
【００１０】以下に本考案の実施の形態について図面を参照して説明する。  図１は本考案の原理を示す。  本考案は既設の二階建て以上の階数を有する住宅を対象とした改造手段であり、既設住宅に容易に実施できることが特徴である。  本考案の給水タンク６は既設の二階建て住宅の一階トイレのロータンク給水口から約４ｍ程度の高度差を有する二階トイレ室の上部付近、または同高度差を有する外壁に支持具等を用いて取付ける。
【００１１】給水タンク６は水位を一定に保つ水位調整弁８と、給排水時の容器内空気圧を大気圧に保つための防虫通気口９と、震災時の揺れに対して水面の揺れを抑制することで通気口からの漏水や水位調整弁の振動や取付支持具への負担を軽減する水面揺れ抑制板１１を有する。
【００１２】二階トイレ室の上部または同程度の高さの外壁に取付けた給水タンク６に対する増設給水管Ａは一階トイレ止水栓から外壁を貫通して接続する方法と二階トイレの止水栓から接続する方法が有るがいずれでも良い。
【００１３】給水タンク６から一階トイレのロータンク３への増設給水管Ｂは一旦外壁を貫通して接続するか、または床を貫通して接続する。
【００１４】図２は給水タンク６の一例で、外観と内部の断面構造図で示す。  特徴は水位調整弁と防虫通気口と、水面揺れ抑制板を有することである。  広口蓋は水位調整弁や給水口や排水口等の取付けや保守のためにある。  本考案の給水タンクでは給水口の位置は重要では無く、底部でも良い。  本考案の給水タンクの材質は特定するものでないが耐久性と強度面からはポリエチレンまたはステンレスが適当である。
【００１５】本考案は一階トイレのロータンク３が給水タンク６から重力に原因する十分な給水圧を得られることが重要であり、個別の既設住宅に本考案を実施する際には事前に給水タンク取付位置高さを模した給水圧をテストする必要がある。
【符号の説明】
【００１６】１  止水栓
２  給水管
３  ロータンク
４  便器
５  増設給水管Ａ
６  給水タンク
７  増設給水管Ｂ
８  水位調整弁
９  通気口
１０  点検蓋
１１  水面揺れ抑制板
【図１】
0003176903.tif 000003
【図２】
0003176903.tif 000004
【手続補正書】
【提出日】平成24年4月12日(2012.4.12)
【手続補正１】
【補正対象書類名】実用新案登録請求の範囲
【補正対象項目名】請求項１
【補正方法】変更
【補正の内容】
【請求項１】
外部から給水可能であり、給水管の一端が取付けられ、二階建て住宅の二階部分の建物内または建物外壁に設置された給水タンクと、前記給水管の他端が取り付けられ、一階部分の水洗トイレに設置されたロータンクからなり、前記給水管を通じて前記給水タンクから前記ロータンクへ高度差によって給水することを特徴とするトイレ用給水装置。